(57)【要約】【課題】測定対象や測定器の状態を容易に特定可能とする。【解決手段】測定対象Ｘについての測定処理を実行して測定値データＤｍを生成可能な測定器１から測定値データＤｍを取得すると共に、移動体通信網１２およびインターネット１３を介して送信された測定値データＤｍを記録可能なデータサーバ４に対して測定値データＤｍを送信する第１の送信処理を実行する第１の処理部を備えたゲートウェイ２であって、第１の処理部は、第１の送信処理において、ゲートウェイ２に接続されると共に測定処理を実行している測定器１および測定対象Ｘとの少なくとも一方の状態を特定可能な状態特定データを生成するデータ生成処理を実行可能に構成されたカメラ３から状態特定データとしての撮像データＤｐを取得すると共に、測定器１から取得した測定値データＤｍと、カメラ３から取得した撮像データＤｐとを相互に関連付けてデータサーバ４に送信する。【選択図】図１
2019185479.tif 000002
【特許請求の範囲】
【請求項１】
測定対象についての予め規定された被測定量を測定する測定処理を実行して測定値データを生成可能に構成された測定器から当該測定値データを取得すると共に、通信ネットワークを介して送信された前記測定値データを記録可能に構成されたデータ記録装置に対して前記測定値データを送信する第１の送信処理を実行する第１の処理部を備えたデータ送信装置であって、
前記第１の処理部は、前記第１の送信処理において、当該データ送信装置および前記測定器のいずれかの装置に接続されると共に前記測定処理を実行している当該測定器と当該測定器によって前記被測定量を測定されている前記測定対象との少なくとも一方の状態を特定可能な状態特定データを生成するデータ生成処理を実行可能に構成されたデータ生成装置から当該状態特定データを取得すると共に、前記測定器から取得した前記測定値データと、前記データ生成装置から取得した前記状態特定データとを相互に関連付けて前記データ記録装置に送信するデータ送信装置。
【請求項２】
前記第１の処理部は、前記第１の送信処理において、前記データ生成装置としての撮像装置が前記少なくとも一方を撮像した撮像データと、前記データ生成装置としての録音装置が前記測定器の設置場所の音を録音した録音データとの少なくとも一方を前記状態特定データとして取得する請求項１記載のデータ送信装置。
【請求項３】
前記第１の処理部は、前記データ生成装置に前記データ生成処理を実行させるデータ生成条件を設定するための条件設定用データを前記通信ネットワークに接続された任意のリソースに対して送信すると共に、当該任意のリソースから送信される生成条件データに応じて前記データ生成装置を制御して前記データ生成処理を実行させる第１の制御処理を実行可能に構成されている請求項１または２記載のデータ送信装置。
【請求項４】
請求項１または２記載のデータ送信装置、前記測定器および前記データ記録装置を備えて構成された測定システム。
【請求項５】
前記データ記録装置は、前記データ生成装置に前記データ生成処理を実行させるデータ生成条件を設定するための条件設定用データを前記通信ネットワークに接続された任意のリソースに対して送信する第３の送信処理を実行すると共に、当該任意のリソースから送信される生成条件データを前記データ送信装置に送信する第２の送信処理を実行する第２の処理部を備えて構成され、
前記データ送信装置は、前記データ記録装置から送信された前記生成条件データに応じて前記データ生成装置を制御して前記データ生成処理を実行させる第２の制御処理を実行可能に構成されている請求項４記載の測定システム。
【請求項６】
前記データ記録装置は、前記データ生成装置に前記データ生成処理を実行させるデータ生成条件を設定するための条件設定用データを前記通信ネットワークに接続された任意のリソースに対して送信する第３の送信処理を実行すると共に、当該任意のリソースから送信される生成条件データに応じて前記データ送信装置を介して前記データ生成装置を制御して前記データ生成処理を実行させる第３の制御処理を実行する第３の処理部を備えて構成されている請求項４記載の測定システム。
【請求項７】
前記データ記録装置は、予め設定された条件を満たす前記測定値データが前記データ送信装置から送信されたときに、当該測定値データ、および当該測定値データに基づいて生成した測定結果報知用データの少なくとも一方と、当該測定値データに関連付けられている前記状態特定データとを予め指定された報知対象に対して前記通信ネットワークを介して送信する第４の送信処理を実行する第４の処理部を備えて構成されている請求項４から６のいずれかに記載の測定システム。
【発明の詳細な説明】
【技術分野】
【０００１】
本発明は、測定器から取得した測定値データを通信ネットワークに接続されたデータ記録装置に送信するデータ送信装置、およびそのようなデータ送信装置を備えて構成された測定システムに関するものである。
【背景技術】
【０００２】
例えば、下記の特許文献には、測定器において測定部が生成した測定データを測定器からデータ記録装置（コンピュータ）にネットワークを介して送信してデータ記録装置の測定データ記録部に記録データとして記録させることが可能に構成されたシステム（データ収集装置：以下、「測定システム」ともいう）の発明が開示されている。
【０００３】
この測定システムでは、例えば、ネットワークに通信障害が発生して測定器からデータ記録装置への測定データの送信を継続することができなくなったときに、測定器のバックアップファイル作成部がストレージ装置内にバックアップファイルを作成して未送信の測定データを書き込む。また、通信障害が解消されたときには、データ記録装置が測定器からバックアップファイルを取得して未送信の測定データ（欠損データ）を記録データファイルに書き込む。これにより、測定器において生成された測定データのすべてがデータ記録装置に記録データとして記録された状態となる。
【先行技術文献】
【特許文献】
【０００４】
【特許文献１】特開２００６−１５５１３５号公報（第５−７頁、第１−３図）
【発明の概要】
【発明が解決しようとする課題】
【０００５】
ところが、上記の特許文献に開示の測定システム（データ収集装置）には、以下のような解決すべき問題点が存在する。具体的には、上記の特許文献に開示の測定システムでは、測定器において生成された測定データをデータ記録装置にネットワークを介して送信して記録データとしてデータ記録装置に記録させる構成が採用されている。
【０００６】
この場合、データ記録装置に記録される記録データは、例えば測定対象の状態を特定するためのデータであり、記録データに記録されている各測定データ（測定値）を解析することで、測定対象における被測定量（測定器が測定した物理量）の推移を特定することが可能となる。具体的には、一例として、予め規定された電流値範囲内の電流値で電力が供給されるべき電動機を測定対象として電動機に共有される電力の電流値を測定してデータ記録装置に記録データとして記録されたときには、記録された記録データを解析することにより、電動機に供給された電力について、規定された電流値範囲内の電流値で供給されたか否かを判別することができる。
【０００７】
しかしながら、例えば、記録データ中のいずれかの時点における電流値が規定された電流値範囲を超えて大きな値となっていたときに、記録データに記録されている電流値の推移だけでは、どのような理由で電流値が規定された電流値範囲を超えたのかを特定するのが困難となっている。また、記録データ中のいずれかの時点における電流値が「０」であったときに、電動機に電力が供給されていなかったのか、或いは、電力は供給されていたものの測定器によって測定することができなかったのかを特定することも困難となっている。
【０００８】
このように、予め規定された被測定量（上記の例では、電流値）を測定して記録データとしてデータ記録装置に記録させる構成の測定システムには、特に、記録データの解析に不慣れな者にとって、測定対象や測定器の状態を特定するのが困難となっているという問題点が生じている。
【０００９】
本発明は、かかる解決すべき問題に鑑みてなされたものであり、測定対象や測定器の状態を容易に特定し得るデータ送信装置および測定システムを提供することを主目的とする。
【課題を解決するための手段】
【００１０】
上記目的を達成すべく、請求項１記載のデータ送信装置は、測定対象についての予め規定された被測定量を測定する測定処理を実行して測定値データを生成可能に構成された測定器から当該測定値データを取得すると共に、通信ネットワークを介して送信された前記測定値データを記録可能に構成されたデータ記録装置に対して前記測定値データを送信する第１の送信処理を実行する第１の処理部を備えたデータ送信装置であって、前記第１の処理部は、前記第１の送信処理において、当該データ送信装置および前記測定器のいずれかの装置に接続されると共に前記測定処理を実行している当該測定器と当該測定器によって前記被測定量を測定されている前記測定対象との少なくとも一方の状態を特定可能な状態特定データを生成するデータ生成処理を実行可能に構成されたデータ生成装置から当該状態特定データを取得すると共に、前記測定器から取得した前記測定値データと、前記データ生成装置から取得した前記状態特定データとを相互に関連付けて前記データ記録装置に送信する。
【００１１】
請求項２記載のデータ送信装置は、請求項１記載のデータ送信装置において、前記第１の処理部は、前記第１の送信処理において、前記データ生成装置としての撮像装置が前記少なくとも一方を撮像した撮像データと、前記データ生成装置としての録音装置が前記測定器の設置場所の音を録音した録音データとの少なくとも一方を前記状態特定データとして取得する。
【００１２】
請求項３記載のデータ送信装置は、請求項１または２記載のデータ送信装置において、前記第１の処理部は、前記データ生成装置に前記データ生成処理を実行させるデータ生成条件を設定するための条件設定用データを前記通信ネットワークに接続された任意のリソースに対して送信すると共に、当該任意のリソースから送信される生成条件データに応じて前記データ生成装置を制御して前記データ生成処理を実行させる第１の制御処理を実行可能に構成されている。
【００１３】
請求項４記載の測定システムは、請求項１または２記載のデータ送信装置、前記測定器および前記データ記録装置を備えて構成されている。
【００１４】
請求項５記載の測定システムは、請求項４記載の測定システムにおいて、前記データ記録装置は、前記データ生成装置に前記データ生成処理を実行させるデータ生成条件を設定するための条件設定用データを前記通信ネットワークに接続された任意のリソースに対して送信する第３の送信処理を実行すると共に、当該任意のリソースから送信される生成条件データを前記データ送信装置に送信する第２の送信処理を実行する第２の処理部を備えて構成され、前記データ送信装置は、前記データ記録装置から送信された前記生成条件データに応じて前記データ生成装置を制御して前記データ生成処理を実行させる第２の制御処理を実行可能に構成されている。
【００１５】
請求項６記載の測定システムは、請求項４記載の測定システムにおいて、前記データ記録装置は、前記データ生成装置に前記データ生成処理を実行させるデータ生成条件を設定するための条件設定用データを前記通信ネットワークに接続された任意のリソースに対して送信する第３の送信処理を実行すると共に、当該任意のリソースから送信される生成条件データに応じて前記データ送信装置を介して前記データ生成装置を制御して前記データ生成処理を実行させる第３の制御処理を実行する第３の処理部を備えて構成されている。
【００１６】
請求項７記載の測定システムは、請求項４から６のいずれかに記載の測定システムにおいて、前記データ記録装置は、予め設定された条件を満たす前記測定値データが前記データ送信装置から送信されたときに、当該測定値データ、および当該測定値データに基づいて生成した測定結果報知用データの少なくとも一方と、当該測定値データに関連付けられている前記状態特定データとを予め指定された報知対象に対して前記通信ネットワークを介して送信する第４の送信処理を実行する第４の処理部を備えて構成されている。
【発明の効果】
【００１７】
請求項１記載のデータ送信装置では、測定器から測定値データを取得すると共に、取得した測定値データをデータ記録装置に対して通信ネットワークを介して送信する第１の送信処理において、第１の処理部が、測定器および測定対象との少なくとも一方の状態を特定可能な状態特定データをデータ生成装置から取得すると共に、測定器から取得した測定値データと、データ生成装置から取得した状態特定データとを相互に関連付けてデータ記録装置に送信する。また、請求項４記載の測定システムでは、上記のデータ送信装置、測定器およびデータ記録装置を備えて構成されている。
【００１８】
したがって、請求項１記載のデータ送信装置および請求項４記載の測定システムによれば、データ記録装置に記録された測定値データおよび状態特定データを取得することにより、測定値データの解析だけでは特定が困難であった測定現場の状態を状態特定データに基づいて容易に特定することができるため、この種の装置やシステムの使用に不慣れな者であっても、取得した測定値データが正常に実行された測定処理の結果であるか否かなどを確実かつ容易に特定することができる。
【００１９】
請求項２記載のデータ送信装置では、第１の処理部が、第１の送信処理において、データ生成装置としての撮像装置が少なくとも一方を撮像した撮像データと、データ生成装置としての録音装置が測定器の設置場所の音を録音した録音データとの少なくとも一方を状態特定データとして取得する。したがって、請求項２記載のデータ送信装置、およびそのようなデータ送信装置を備えて構成された測定システムによれば、撮像データの像、および／または録音データの音に基づき、測定対象や測定器の状態を直感的に特定することができるため、取得した測定値データが正常に実行された測定処理の結果であるか否かなどを一層容易に特定することができる。
【００２０】
請求項３記載のデータ送信装置では、第１の処理部が、データ生成装置にデータ生成処理を実行させるデータ生成条件を設定するための条件設定用データを通信ネットワークに接続された任意のリソースに対して送信すると共に、任意のリソースから送信される生成条件データに応じてデータ生成装置を制御してデータ生成処理を実行させる第１の制御処理を実行可能に構成されている。
【００２１】
したがって、請求項３記載のデータ送信装置、およびそのようなデータ送信装置を備えて構成された測定システムによれば、データ生成装置の設置場所から遠く離れた場所（状態特定データを生成させるためにデータ生成装置を直接操作することができない場所）からデータ生成条件を指定してデータ生成装置によるデータ生成処理を任意の条件下で実行させることができるため、データ送信装置および測定システムの使用に関する使用者の負担を十分に軽減することができる。
【００２２】
請求項５記載の測定システムでは、データ記録装置が、データ生成装置にデータ生成処理を実行させるデータ生成条件を設定するための条件設定用データを通信ネットワークに接続された任意のリソースに対して送信する第３の送信処理を実行すると共に、任意のリソースから送信される生成条件データをデータ送信装置に送信する第２の送信処理を実行する第２の処理部を備えて構成され、データ送信装置が、データ記録装置から送信された生成条件データに応じてデータ生成装置を制御してデータ生成処理を実行させる第２の制御処理を実行可能に構成されている。
【００２３】
また、請求項６記載の測定システムでは、データ記録装置が、データ生成装置にデータ生成処理を実行させるデータ生成条件を設定するための条件設定用データを通信ネットワークに接続された任意のリソースに対して送信する第３の送信処理を実行すると共に、任意のリソースから送信される生成条件データに応じてデータ送信装置を介してデータ生成装置を制御してデータ生成処理を実行させる第３の制御処理を実行する第３の処理部を備えて構成されている。
【００２４】
したがって、請求項５，６記載の測定システムによれば、データ生成装置の設置場所から遠く離れた場所（状態特定データを生成させるためにデータ生成装置を直接操作することができない場所）からデータ生成条件を指定してデータ生成装置によるデータ生成処理を任意の条件下で実行させることができるため、測定システムの使用に関する使用者の負担を十分に軽減することができる。
【００２５】
請求項７記載の測定システムによれば、データ記録装置が、予め設定された条件を満たす測定値データがデータ送信装置から送信されたときに、測定値データ、および測定値データに基づいて生成した測定結果報知用データの少なくとも一方と、測定値データに関連付けられている状態特定データとを予め指定された報知対象に対して通信ネットワークを介して送信する第４の送信処理を実行する第４の処理部を備えて構成されている。
【００２６】
したがって、請求項７記載の測定システムによれば、使用者がデータ記録装置から測定値データや状態特定データをダウンロードして内容を確認する作業を定期的に行わなくても、予め設定した条件を満たす測定値データがデータ送信装置からデータ記録装置に送信されたときに、その旨を特定可能な情報が自動的に送信されるため、測定システムの使用に関する使用者の負担を一層軽減することができる。
【図面の簡単な説明】
【００２７】
【図１】測定システム１００の構成を示す構成図である。
【図２】ゲートウェイ２の構成を示す構成図である。
【図３】データサーバ４の構成を示す構成図である。
【発明を実施するための形態】
【００２８】
以下、データ送信装置および測定システムの実施の形態について、添付図面を参照して説明する。
【００２９】
図１に示す測定システム１００は、「測定システム」の一例であって、複数の測定器１ａ，１ｂ・・１ｎ、ゲートウェイ２、カメラ３およびデータサーバ４を備えて構成されている。なお、図１に示す運用形態においては、後述の移動体通信網１２およびインターネット１３が相俟って「通信ネットワーク」が構成されている。
【００３０】
測定器１ａ，１ｂ・・１ｎ（以下、区別しないときには「測定器１」ともいう）は、「測定器」の一例であって、測定対象Ｘについての「予め規定された被測定量（電流値、電圧値、抵抗値、電力値、位相、温度、湿度、歪み、輝度（光度）、照度、雨量および流量等の各種のパラメータ）」を測定する「測定処理」を実行して「測定値データ」の一例である測定値データＤｍを生成することができるように構成されている。
【００３１】
また、測定器１は、一例として、ＬＡＮ１１を介してゲートウェイ２に接続可能に構成されており、生成した測定値データＤｍをゲートウェイ２に対してＬＡＮ１１を介して出力することができるように構成されている。なお、本例の測定システム１００では、複数台の測定器１を備えて構成されているが、「測定システム」を構成する「測定器」の台数は１台でもよい。
【００３２】
ゲートウェイ２は、「データ送信装置」の一例であって、各測定器１と共に測定現場に設置され、かつカメラ３が接続された状態で使用される。このゲートウェイ２は、図２に示すように、通信部２１，２２、操作部２３、表示部２４、処理部２５および記憶部２６を備えて構成されている。
【００３３】
通信部２１は、ＬＡＮ１１を介して測定器１等のネットワーク機器（ノード）を接続することが可能な通信アダプタで構成され、処理部２５の制御下で、測定器１等に対する後述の測定条件データＤ２等の送信処理や、測定器１から送信される測定値データＤｍ等の受信処理を実行する。通信部２２は、一例として、移動体通信網１２に接続可能な移動体通信モジュールで構成され、処理部２５の制御下で、移動体通信網１２を介して送信される測定条件データＤ２および後述の撮像条件データＤ３の受信処理や、測定値データＤｍおよび後述の撮像データＤｐ（「状態特定データ」としての「撮像データ」の一例）等の移動体通信網１２を介しての送信処理を実行する。
【００３４】
操作部２３は、ゲートウェイ２の動作条件の設定操作や、カメラ３の動作条件の設定操作などを実行可能な複数の操作スイッチ（図示せず）を備え、スイッチ操作に応じた操作信号を処理部２５に出力する。表示部２４は、処理部２５の制御下でゲートウェイ２の動作状態を示す各種の情報を表示する。
【００３５】
処理部２５は、ゲートウェイ２を総括的に制御する。具体的には、処理部２５は、「第１の処理部」の一例であって、測定器１からＬＡＮ１１を介して送信された測定値データＤｍが通信部２１によって受信されたときに、その測定値データＤｍを記憶部２６に記憶させる（「測定器から測定値データを取得する」との処理の一例）。
【００３６】
また、処理部２５は、後述するようにデータサーバ４からインターネット１３および移動体通信網１２を介して送信されて通信部２２によって受信された撮像条件データＤ３（「生成条件データ」の一例）に応じてカメラ３を制御して後述の「撮像処理」を実行させ、カメラ３から出力される撮像データＤｐ（「状態特定データ」の一例）を記憶部２６に記憶させる（「データ生成装置から状態特定データを取得する」との処理の一例であり、かつ「第２の制御処理」の一例）。
【００３７】
さらに、処理部２５は、予め設定された条件に従い、取得した測定値データＤｍおよび撮像データＤｐを相互に関連付けて通信部２２から移動体通信網１２およびインターネット１３を介してデータサーバ４に送信する処理（「第１の送信処理」の一例）を実行する。なお、測定値データＤｍおよび撮像データＤｐの関連付けや送信の手順については、後に詳細に説明する。
【００３８】
記憶部２６は、処理部２５の動作プログラム、通信部２２によって受信された測定条件データＤ２や撮像条件データＤ３、通信部２１によって受信された測定値データＤｍ、およびカメラ３から出力された撮像データＤｐなどを記憶する。
【００３９】
カメラ３は、「データ生成装置」としての「撮像装置」の一例であって、本例の測定システム１００では、一例として、通信ケーブルを介してゲートウェイ２にカメラ３が接続されている（「いずれかの装置」が「データ送信装置」である構成の例）。このカメラ３は、ゲートウェイ２の制御下で「データ生成処理」としての「撮像処理」を実行して測定対象Ｘおよび／または測定器１を撮像して撮像データＤｐ（測定処理を実行している測定器と測定器によって被測定量を測定されている測定対象との少なくとも一方の状態を特定可能な「状態特定データ」：一例として、静止画の画像データ）をゲートウェイ２に出力する。
【００４０】
データサーバ４は、「データ記録装置」の一例であって、図３に示すように、記録部３１、通信部３２、操作部３３、表示部３４、処理部３５および記憶部３６を備え、移動体通信網１２およびインターネット１３を介してゲートウェイ２から送信される測定値データＤｍおよび撮像データＤｐを記録すると共に、任意の情報処理端末（例えば、後述の操作端末Ｔ）などにインターネット１３を介して測定値データＤｍや撮像データＤｐを送信することができるように構成されている。
【００４１】
記録部３１は、後述するように操作端末Ｔ等に対して送信する条件設定画面データＤ０（「条件設定用データ」の一例）、後述するように操作端末Ｔ等から送信されるレスポンスデータＤ１、後述するように処理部３５によって生成される測定条件データＤ２、撮像条件データＤ３および報知条件データＤ４、並びにゲートウェイ２から送信される測定値データＤｍや撮像データＤｐなどを記録可能な大容量記録媒体（ハードディスクドライブ等）を備えて構成されている。なお、本例の測定システム１００では、上記の条件設定画面データＤ０が「条件設定用データ」に相当すると共に、レスポンスデータＤ１の一部（ゲートウェイ２によるカメラ３の制御条件（撮像条件）に関するデータ）、および撮像条件データＤ３が「生成条件データ」に相当する。
【００４２】
通信部３２は、インターネット１３に接続可能な通信ユニットで構成され、処理部３５の制御下で、条件設定画面データＤ０、測定条件データＤ２および撮像条件データＤ３や後述の報知メールＤｒの送信処理、並びにレスポンスデータＤ１、測定値データＤｍおよび撮像データＤｐの受信処理を実行する。操作部３３は、データサーバ４の動作条件の設定操作（サーバ管理者による操作）を実行可能なキーボードやポインティングデバイス（図示せず）を備えて構成されている。表示部３４は、データサーバ４の動作状態を示す各種の情報を表示する。
【００４３】
処理部３５は、データサーバ４を総括的に制御する。具体的には、処理部３５は、「第２の処理部」として機能して、上記のカメラ３に「撮像処理」を実行させる「撮像条件」などを設定するための条件設定画面データＤ０を通信部３２からインターネット１３に接続された「任意のリソース」に対して送信する送信処理（「第３の送信処理」の一例）を実行する。この場合、本例では、インターネット１３に接続可能な操作端末Ｔ（パーソナルコンピュータ、タブレットおよびスマートフォンなどの「ブラウザ搭載の通信端末」）を「任意のリソース」として使用するものとする。
【００４４】
また、処理部３５は、後述するように条件設定画面データＤ０の画面が表示された状態の操作端末Ｔに対する操作に伴って操作端末Ｔから送信されるレスポンスデータＤ１が通信部３２によって受信されたときに、そのレスポンスデータＤ１の内容に応じて撮像条件データＤ３などを生成してゲートウェイ２に送信する送信処理（「第２の送信処理」の一例）を実行する。なお、レスポンスデータＤ１に基づく撮像条件データＤ３等の生成処理の具体的な内容については、後に詳細に説明する。
【００４５】
さらに、処理部３５は、「第４の処理部」として機能して、「予め設定された条件」を満たす測定値データＤｍがゲートウェイ２から送信されたときに、その測定値データＤｍに基づいて生成したグラフ等（「測定結果報知用データ」の一例）と、測定値データＤｍに関連付けられている撮像データＤｐとを含む報知メールＤｒを「予め指定された報知対象（予め設定されたメールアドレス：メールサーバ）」に対してインターネット１３を介して送信する送信処理（「第４の送信処理」の一例である「報知処理」の一例）を実行する（「測定値データおよび測定結果報知用データの少なくとも一方」が「測定結果報知用データ」の例）。なお、上記の「予め設定された条件」や、測定値データＤｍに基づく報知メールＤｒの具体的な内容については、後に説明する。
【００４６】
記憶部３６は、処理部３５の演算結果や、通信部３２を介して送受信される各種データを一時的に記憶する。
【００４７】
次に、測定システム１００の使用形態の一例について説明する。
【００４８】
この測定システム１００の使用に際しては、データサーバ４を使用する権限を有する者のユーザ登録（認証用のＩＤおよびパスワードの発行）や、移動体通信網１２への接続を許容するゲートウェイ２（ゲートウェイ２に装着されるｓｉｍカード等）の登録を行うが、「データ送信装置」および「測定システム」の構成に関する理解を容易とするために、これらの登録作業や、登録結果に基づく認証処理に関する説明を省略する。
【００４９】
まず、測定器１、ゲートウェイ２およびカメラ３を測定対象Ｘが存在する測定現場に設置する。具体的には、各測定器１の測定用センサ測定用ケーブルを測定対象Ｘに装着すると共に、ＬＡＮ１１を構成するネットワークケーブルを介して（必要に応じてスイッチングハブを介して）各測定器１をゲートウェイ２の通信部２１に接続する。また、測定対象Ｘと測定器１との少なくとも一方（異常な測定値データＤｍが出力されたときに、その原因を特定可能な撮像データＤｐを撮像できる撮像対象）を撮像可能にカメラ３をセットしてゲートウェイ２に接続する。以上により、測定現場における準備作業が完了する。
【００５０】
なお、各測定器１による「測定条件」については、各測定器１を測定現場に設置する以前、または、設置作業のうちの１つ作業項目として、各測定器１毎に個別に行うこともできるが、本例では、カメラ３による「撮像条件」についての撮像条件データＤ３と共にデータサーバ４からゲートウェイ２に送信される測定条件データＤ２をゲートウェイ２から測定器１に転送することで測定器１において「測定条件」が設定されるものとする。具体的には、一例として、まず、操作端末Ｔのブラウザを起動してデータサーバ４の所定のアドレス（移動体通信網１２や測定器１の動作条件を設定したり測定値データＤｍや撮像データＤｐをダウンロードしたりするためのアドレス）にインターネット１３を介してアクセスする。
【００５１】
これに応じて、データサーバ４の処理部３５が、動作条件設定画面を操作端末Ｔの表示画面（ブラウザ）に表示させるための条件設定画面データＤ０を記録部３１から読み出して通信部３２からインターネット１３を介して操作端末Ｔに送信する（「第３の送信処理」の一例）。これにより、操作端末Ｔの表示画面に、測定器１による「測定処理」の「測定条件」、カメラ３による「撮像処理」の「撮像条件」、およびデータサーバ４（処理部３５）による「報知処理」の「報知条件（「第４の送信処理」の実行条件）」などを設定する条件設定画面が表示される（図示せず）。
【００５２】
この場合、「測定条件」に関しては、一例として、測定開始時刻、測定周期および測定終了時刻などの設定項目を、操作端末Ｔの表示画面内における対象の設定項目欄に入力する（または、表示される選択候補群から任意の候補を選択する）ことで、入力した（選択した）条件を特定可能なレスポンスデータＤ１が操作端末Ｔからインターネット１３を介してデータサーバ４に送信される。
【００５３】
また、「撮像条件」に関しては、一例として、「ゲートウェイ２から測定値データＤｍを送信する都度、撮像処理を実行する」との条件を操作端末Ｔの表示画面内における対象の設定項目欄に入力する（または、表示される選択候補群からそのような条件候補を選択する）ことで、入力した（選択した）条件を特定可能なレスポンスデータＤ１が操作端末Ｔからインターネット１３を介してデータサーバ４に送信される。
【００５４】
さらに、「報知条件」に関しては、一例として「規定値を超える（または、規定値を下回る）」との条件（「予め設定された条件」の一例）を満たす測定値データＤｍが送信されたときとの条件、およびその「規定値」を操作端末Ｔの表示画面内における対象の設定項目欄に入力する（または、表示される選択候補群からそのような条件候補を選択する）ことで、入力した（選択した）条件や規定値を特定可能なレスポンスデータＤ１が操作端末Ｔからインターネット１３を介してデータサーバ４に送信される。
【００５５】
また、データサーバ４では、処理部３５が通信部３２によって受信された上記の各レスポンスデータＤ１に基づき、ゲートウェイ２を介して測定器１に送信する測定条件データＤ２、ゲートウェイ２に送信すべき撮像条件データＤ３、および自身が実行する後述の「報知処理（第４の送信処理）」に必要となる報知条件データＤ４をそれぞれ生成して記録部３１に記録させる。さらに、処理部３５は、報知条件データＤ４の内容を、「報知処理」の実行条件（報知条件）として設定する。これにより、データサーバ４による「報知処理」を実行する準備が整う。さらに、処理部３５は、測定条件データＤ２および撮像条件データＤ３を通信部３２からゲートウェイ２に送信させる（「第２の送信処理」の一例）。
【００５６】
また、ゲートウェイ２では、処理部２５が、データサーバ４からインターネット１３および移動体通信網１２を介して送信されて移動体通信網１２によって受信された測定条件データＤ２および撮像条件データＤ３を記憶部２６に記憶させる。さらに、処理部２５は、撮像条件データＤ３の内容を、カメラ３に「撮像処理」を実行させる制御処理（「第２の制御処理」）の実行条件（制御条件：撮像条件）として設定する。これにより、ゲートウェイ２の制御下でカメラ３が撮像対象（測定対象Ｘや測定器１）を撮像する「撮像処理」を実行する準備（ゲートウェイ２がカメラ３を制御する準備）が整う。
【００５７】
さらに、処理部２５は、測定条件データＤ２を通信部２１から測定器１に送信させる。この際に、測定器１では、ゲートウェイ２からＬＡＮ１１を介して送信された測定条件データＤ２を受信したときに、測定条件データＤ２に従い、「測定処理」を実行するための「測定条件」を設定する。これにより、測定器１による測定対象Ｘについての「測定処理」を実行する準備が整う。以上により、測定システム１００を使用する一連の準備作業が完了する。
【００５８】
一方、上記のように測定条件データＤ２に基づいて設定された「測定条件」の「測定開始時刻」が到来したときに、測定器１は、「測定処理」を実行して測定対象Ｘについての予め規定された被測定量を測定して測定値データＤｍを生成し、生成した測定値データＤｍをゲートウェイ２に送信する。また、ゲートウェイ２では、測定器１からＬＡＮ１１を介して送信された測定値データＤｍが通信部２１によって受信されたときに（「測定器から測定値データを取得する」との処理の一例）、処理部２５が、その測定値データＤｍを記憶部２６に記憶させると共に、撮像条件データＤ３に基づいて設定した「制御条件（撮像条件）」の「撮像タイミング」が到来したと判別し、カメラ３を制御して「撮像処理」を実行させる（「第２の制御処理」の一例）。
【００５９】
これに応じて、カメラ３は、撮像対象（測定対象Ｘや測定器１）を撮像する「撮像処理」を実行して撮像データＤｐを生成し、生成した撮像データＤｐをゲートウェイ２に出力する。これにより、測定器１によって生成されてゲートウェイ２に送信された測定値データＤｍの生成時刻（測定値データＤｍのファイルのタイムスタンプ）とほぼ同時刻のタイムスタンプの撮像データＤｐがカメラ３から出力される。また、処理部２５は、カメラ３から撮像データＤｐが出力されたときに（「データ生成装置から状態特定データを取得する」との処理の一例）、測定値データＤｍおよび撮像データＤｐを相互に関連付けて通信部２２からデータサーバ４に送信させる（「第１の送信処理」の一例）。
【００６０】
この場合、測定値データＤｍおよび撮像データＤｐの「関連付け」については、一例として、測定値データＤｍのファイル名および撮像データＤｐのファイル名の一部に、その測定値データＤｍを出力した測定器１に固有の識別情報の文字列をそれぞれ含ませたり、測定値データＤｍのヘッダ情報の一部として対応する撮像データＤｐのファイル名を含ませたり、撮像データＤｐのヘッダ情報の一部として対応する測定値データＤｍのファイル名を含ませたりする。本例では、両データＤｍ，Ｄｐのファイル名の一部に識別情報の文字列を含ませることで両データＤｍ，Ｄｐの「関連付け」をするものとする。
【００６１】
また、データサーバ４では、ゲートウェイ２から移動体通信網１２およびインターネット１３を介して送信された測定値データＤｍおよび撮像データＤｐが通信部３２によって受信されたときに、処理部３５が、両データＤｍ，Ｄｐを記録部３１に記録させる。また、処理部３５は、記録させた測定値データＤｍが、設定されている「報知条件」を満たす値であるか否かを判別する。この際に、「規定値を超える測定値データＤｍが送信されたとき」との条件、およびその「規定値」が「報知条件」として設定されているときに、処理部３５は、測定値データＤｍの値が規定値以下のときに「報知条件」が満たされないと判別し、「報知処理」を実行することなく、両データＤｍ，Ｄｐの受信時における処理を完了する。
【００６２】
この後、前述の「測定条件」における「測定周期」に応じたタイミングが到来する都度、測定器１による「測定処理」の実行（ゲートウェイ２への測定値データＤｍの送信）と、ゲートウェイ２によるカメラ３の制御およびカメラ３による「撮像処理」の実行（「第２の制御処理」の実行、およびカメラ３からの撮像データＤｐの出力）と、ゲートウェイ２による両データＤｍ，Ｄｐの関連付けおよびデータサーバ４への送信（「第１の送信処理」の実行）と、データサーバ４による両データＤｍ，Ｄｐの受信および記録部３１への記録処理とが、「測定条件」における「測定終了時刻」が到来するまで繰り返し実行される。
【００６３】
この場合、本例の測定システム１００では、データサーバ４における記録部３１の記録可能領域が多数の撮像データＤｐの記録によって過剰に減少する事態（新たな測定値データＤｍを記録させる記録可能容量が不足する事態）を招くことがないように、一例として、記録部３１に記録しておくことができる撮像データＤｐの数（撮像データＤｐを記録可能な容量）を、各測定器１毎（または、複数のゲートウェイ２を併用している場合には、各ゲートウェイ２毎）に予め設定しておくことができるように構成されている。また、そのような設定をした状態においては、一例として、後述のように「報知条件」を満たす測定値データＤｍと一緒に送信された撮像データＤｐを除き、設定した数（設定した容量）に達した以降に新たな撮像データＤｐが送信されたときに、記録部３１に記録されている撮像データＤｐのうちの最先の撮像データＤｐを削除することで新たな撮像データＤｐの記録を可能とする。
【００６４】
また、本例の測定システム１００では、上記のようにゲートウェイ２からデータサーバ４に送信される測定値データＤｍの値が「報知条件」を満たす値のときに、データサーバ４において「報知処理」が実行される。具体的には、設定されている「規定値」を超える値の測定値データＤｍがゲートウェイ２から送信されたときに、処理部３５は、送信された測定値データＤｍが「報知条件」を満たしたと判別して「報知処理」を開始する。
【００６５】
この「報知処理」では、処理部３５は、まず、一例として、「規定値」を超える測定値データＤｍ、およびその測定値データＤｍ以前に同じ測定器１によって測定された測定値データＤｍに基づき、測定対象Ｘについての被測定量の変化を示すグラフ（「測定結果報知用データ」の一例）を生成する。次いで、処理部３５は、生成したグラフと、「規定値」を超える測定値データＤｍと一緒に送信された撮像データＤｐの画像と、予め規定されたメッセージ（例えば、「規定値を超える測定値が測定されました。」とのメッセージ）とを含ませた報知メールＤｒを生成し、予め設定されている報知対象（予め設定されたメールアドレス：メールサーバ）」に対して記録部３１からインターネット１３を介して送信する（「第４の送信処理」の一例）。
【００６６】
これにより、データサーバ４から送信された報知メールＤｒを受信した者は、報知メールＤｒ内のメッセージおよびグラフに基づいて測定値が規定値を超える状態に変化したことを認識すると共に、添付されている画像（カメラ３によって撮像された測定対象Ｘや測定器１の画像）に基づいて、測定現場の状態を特定する。
【００６７】
具体的には、例えば、測定対象Ｘに「異常動作を示すインジケータ」が配設されている場合には、インジケータが点灯状態であるか否かを画像に基づいて特定し、測定器１の表示部に測定値を表示させている場合には、表示されている測定値が規定値を超えているか否かを画像に基づいて特定する。また、使用者は、必要に応じて操作端末Ｔ等を操作してデータサーバ４にアクセスし、記録部３１に記録されている測定値データＤｍ（および対応する撮像データＤｐ）をダウンロードして測定対象Ｘについての測定結果を詳細に分析したり、測定現場を訪れて測定対象Ｘや測定器１の動作状態を確認したりする。
【００６８】
なお、上記の例とは異なるが、測定値データＤｍに基づいて生成したグラフに代えて（または、そのようなグラフに加えて）、測定値データＤｍそのものを撮像データＤｐの画像と共に報知メールＤｒに添付してデータサーバ４から送信させる構成を採用することもできる。このような構成を採用した場合においても、報知メールＤｒを受信した者は、報知メールＤｒ内のメッセージおよび測定値データＤｍに基づいて測定値が規定値を超える状態に変化したことを認識すると共に、添付されている画像（カメラ３によって撮像された測定対象Ｘや測定器１の画像）に基づいて、測定現場の状態を特定することができる。
【００６９】
また、上記の運用形態とは異なるが、データサーバ４による「報知処理」を実行しない運用形態を採用することもできる。このような運用形態で測定システム１００を使用する場合においても、使用者が任意のタイミングで操作端末Ｔ等を操作してデータサーバ４にアクセスし、記録部３１に記録されている測定値データＤｍおよび撮像データＤｐをダウンロードすることにより、測定値データＤｍを解析して正常値の範囲内であるかを特定したり、撮像データＤｐの画像を参照して測定対象Ｘや測定器１の動作状態が正常であるかを特定したりすることができる。
【００７０】
このように、このゲートウェイ２では、測定器１から測定値データＤｍを取得すると共に、取得した測定値データＤｍをデータサーバ４に対して移動体通信網１２およびインターネット１３を介して送信する「第１の送信処理」において、処理部２５が、測定器１および測定対象Ｘとの少なくとも一方の状態を特定可能な撮像データＤｐをカメラ３から取得すると共に、測定器１から取得した測定値データＤｍと、カメラ３から取得した撮像データＤｐとを相互に関連付けてデータサーバ４に送信する。また、この測定システム１００では、上記の測定器１、ゲートウェイ２およびデータサーバ４を備えて構成されている。
【００７１】
したがって、このゲートウェイ２および測定システム１００によれば、データサーバ４に記録された測定値データＤｍおよび撮像データＤｐを取得することにより、測定値データＤｍの解析だけでは特定が困難であった測定現場の状態を撮像データＤｐに基づいて容易に特定することができるため、この種の装置やシステムの使用に不慣れな者であっても、取得した測定値データＤｍが正常に実行された「測定処理」の結果であるか否かなどを確実かつ容易に特定することができる。
【００７２】
また、このゲートウェイ２では、処理部２５が、「第１の送信処理」において、「データ生成装置」としての「撮像装置」が測定対象Ｘおよび測定器１の少なくとも一方を撮像した「撮像データ」と、「データ生成装置」としての「録音装置」が測定器１の設置場所の音を録音した「録音データ」との少なくとも一方（本例では、「撮像装置」としてのカメラ３が測定対象Ｘおよび測定器１の少なくとも一方を撮像した撮像データＤｐ）を「状態特定データ」として取得する。したがって、このゲートウェイ２および測定システム１００によれば、「撮像データ」の像、および／または「録音データ」の音に基づき、測定対象Ｘや測定器１の状態を直感的に特定することができるため、取得した測定値データＤｍが正常に実行された「測定処理」の結果であるか否かなどを一層容易に特定することができる。
【００７３】
また、この測定システム１００では、データサーバ４が、カメラ３に撮像処理を実行させる撮像条件を設定するための条件設定画面データＤ０をインターネット１３に接続された操作端末Ｔに対して送信する「第３の送信処理」を実行すると共に、操作端末Ｔから送信されるレスポンスデータＤ１に基づいて撮像条件データＤ３を生成してゲートウェイ２に送信する「第２の送信処理」を実行する処理部３５を備えて構成され、ゲートウェイ２が、データサーバ４から送信された撮像条件データＤ３に応じてカメラ３を制御して撮像処理を実行させる「第２の制御処理」を実行可能に構成されている。
【００７４】
したがって、この測定システム１００によれば、カメラ３の設置場所から遠く離れた場所（撮像データＤｐを生成させるためにカメラ３を直接操作することができない場所）から「撮像条件」を指定してカメラ３による「撮像処理」を任意の条件下で実行させることができるため、測定システム１００の使用に関する使用者の負担を十分に軽減することができる。
【００７５】
さらに、この測定システム１００によれば、データサーバ４が、予め設定された条件を満たす測定値データＤｍがゲートウェイ２から送信されたときに、測定値データＤｍに基づいて生成したグラフ等の情報と、測定値データＤｍに関連付けられている撮像データＤｐとを含む報知メールＤｒを予め指定された「報知対象（本例では、予め設定されたメールアドレス）」に対してインターネット１３を介して送信する「第４の送信処理」を実行する処理部３５を備えて構成されている。
【００７６】
したがって、この測定システム１００によれば、使用者がデータサーバ４から測定値データＤｍや撮像データＤｐをダウンロードして内容を確認する作業を定期的に行わなくても、「報知条件」を満たす測定値データＤｍがゲートウェイ２からデータサーバ４に送信されたときに、その旨を特定可能な情報（本例では報知メールＤｒ）が自動的に送信されるため、測定システム１００の使用に関する使用者の負担を一層軽減することができる。
【００７７】
なお、「データ送信装置」および「測定システム」の構成は、上記のゲートウェイ２および測定システム１００の構成の例に限定されない。例えば、上記の測定システム１００と同様にして、「データ記録装置（上記の例におけるデータサーバ４）」が、「データ生成条件」を設定するための「条件設定用データ」を「任意のリソース（上記の例における操作端末Ｔ等）」に対して送信する「第３の送信処理」を実行すると共に、上記の測定システム１００とは異なり、「データ記録装置」が、「任意のリソース」から送信される「生成条件データ」に応じて「データ送信装置（上記の例におけるゲートウェイ２）」を介して「データ生成装置（上記の例におけるカメラ３）」を制御して「データ生成処理」を実行させる「第３の制御処理」を実行する「第３の処理部」を備えた構成を採用することもできる。
【００７８】
このような構成の「測定システム」によれば、前述した測定システム１００と同様にして、「データ生成装置」の設置場所から遠く離れた場所（「状態特定データ」を生成させるために「データ生成装置」を直接操作することができない場所）から「データ生成条件」を指定して「データ生成装置」による「データ生成処理」を任意の条件下で実行させることができるため、「測定システム」の使用に関する使用者の負担を十分に軽減することができる。
【００７９】
また、「データ送信装置（上記の例におけるデータサーバ４）」の「第１の処理部（上記の例における処理部２５」が、「データ生成条件」を設定するための「条件設定用データ」を「任意のリソース（上記の例における操作端末Ｔ等）」に対して送信すると共に、「任意のリソース」から送信される「生成条件データ」に応じて「第１の処理部」が「データ生成装置（上記の例におけるカメラ３）」を制御して「データ生成処理」を実行させる「第１の制御処理」を実行可能な構成を採用することもできる。
【００８０】
このような構成の「データ送信装置」および「測定システム」によれば、前述した測定システム１００と同様にして、「データ生成装置」の設置場所から遠く離れた場所（「状態特定データ」を生成させるために「データ生成装置」を直接操作することができない場所）から「データ生成条件」を指定して「データ生成装置」による「データ生成処理」を任意の条件下で実行させることができるため、「データ送信装置」および「測定システム」の使用に関する使用者の負担を十分に軽減することができる。
【００８１】
さらに、「データ生成装置」が他の構成要素の制御によらずに、予め設定された条件に従って「データ生成処理」を実行して「状態特定データ」を生成して「データ送信装置」に出力する構成を採用することもできる。
【００８２】
また、「データ生成装置」としての「撮像装置」の一例であるカメラ３によって「状態特定データ」としての「撮像データ」の一例である撮像データＤｐ（本例では、静止画データ）を生成して測定値データＤｍと関連付けて送信する構成を例に挙げて説明したが、このような構成に代えて（または、このような構成に加えて）、動画撮影が可能なカメラを「データ生成装置」としての「撮像装置」として使用して「状態特定データ」としての動画の「撮像データ」を生成して測定値データＤｍと共に送信する構成を採用することができる。また、上記のような構成に代えて（または、そのような構成に加えて）、測定器１の設置場所の音を録音可能な「データ生成装置」としての「録音装置」を使用して「状態特定データ」としての「録音データ（音声データ）」を生成して測定値データＤｍと共に送信する構成を採用することができる。
【００８３】
このような構成を採用した場合においても、「データ記録装置（上記の例におけるデータサーバ４）」に記録された「測定値データ」と、「動画の撮像データ」や「音声データ」とを取得することにより、「測定値データ」の解析だけでは特定が困難であった測定現場の状態を「動画の撮像データ」や「音声データ」に基づいて容易に特定することができるため、この種の装置やシステムの使用に不慣れな者であっても、取得した「測定値データ」が正常に実行された「測定処理」の結果であるか否かなどを確実かつ容易に特定することができる。
【００８４】
なお、例示した各種の「データ生成装置」については、１台の「データ送信装置」につき１台を設置して使用する形態に限定されず、１台の「データ送信装置」につき複数台を設置して使用することもできる。また、複数台の「データ生成装置」を併用する場合には、静止画の撮像データ、動画の撮像データＤ、および音声データ等の複数種類の「状態特定データ」を生成可能に複数種類の「データ生成装置」を使用することもできる。
【００８５】
また、ＬＡＮ１１を介して測定器１とゲートウェイ２とを接続する構成に代えて、ブルートゥース（登録商標）等の近距離無線通信規格に準じた通信路を介して「測定器」と「データ送信装置」とを接続したり、信号ケーブルを介して「測定器」と「データ送信装置」とを直接接続したりすることもできる。さらに、「測定器」と「データ送信装置」とを「単一の装置」で構成する（「データ送信装置」の機能を備えて「測定器」を構成する）こともできる。
【００８６】
また、通信ケーブルを介してカメラ３をゲートウェイ２に接続した構成を例に挙げて説明したが、このような構成に代えて、例えば、ネットワーク対応機器で構成した「データ生成装置」を「データ送信装置」に対してＬＡＮ等を介して接続して使用する構成や、「データ生成装置」を「測定器」に接続すると共に「測定器」を介して「データ生成装置」を「データ送信装置」に接続して使用する構成（いずれも図示せず）などを採用することもできる。
【００８７】
さらに、移動体通信網１２およびインターネット１３を介してゲートウェイ２をデータサーバ４に接続させる構成を例に挙げて説明したが、例えば、「データ送信装置」にブロードバンドルータ機能を搭載することで「データ送信装置」をインターネット１３に対して直接接続させたり、「データ送信装置」に外部機器としてのブロードバンドルータを接続してブロードバンドルータを介して「データ送信装置」をインターネット１３に対して接続させたりして「データ記録装置」に接続させる構成を採用することもできる。
【００８８】
また、「予め規定された状態」を満たす「測定値データ」が「データ送信装置」から送信されたときに、「データ記録装置」が「第４の送信処理（報知処理）」を実行する構成を例に挙げて説明したが、このような構成に代えて、例えば、「データ送信装置」が「予め規定された状態」を満たす「測定値データ」を「データ記録装置」に対して送信する際に、「第４の送信処理（報知処理）」と同様の「データ送信処理（報知処理）」を実行する構成を採用することもできる。さらに、いずれの構成要素も「第４のデータ送信処理（報知処理）」と同様の処理を実行しない構成を採用することもできる。
【符号の説明】
【００８９】
１００  測定システム
１，１ａ〜１ｎ  測定器
２  ゲートウェイ
３  カメラ
４  データサーバ
Ｔ  操作端末
１１  ＬＡＮ
１２  移動体通信網
１３  インターネット
２１，２２，３２  通信部
２３，３３  操作部
２４，３４  表示部
２５，３５  処理部
２６，３６  記憶部
３１  記録部
Ｄ０  条件設定画面データ
Ｄ１  レスポンスデータ
Ｄ２  測定条件データ
Ｄ３  撮像条件データ
Ｄ４  報知条件データ
Ｄｍ  測定値データ
Ｄｐ  撮像データ
Ｄｒ  報知メール
Ｔ  操作端末
Ｘ  測定対象
【図１】
2019185479.tif 000003
【図２】
2019185479.tif 000004
【図３】
2019185479.tif 000005